(57)【要約】  閉鎖機（１０）又は閉鎖機ヘッドへ供給するための、武器システム内へのベルト付き弾薬（４，５）の弾薬供給装置（１００）であって、弾薬（４，５）がカートリッジフック（６，７）によって弾薬ベルトから引き出され、閉鎖機（１０）に供給されなければならない、弾薬供給装置（１００）が提案される。誤射などを回避するために、カートリッジフック（６，７）を閉鎖機（１０）から切り離した状態で武器システム内に組み付けるようになっている。閉鎖機（１０）が後方へ向いた行程を実施したとき、又は前方へ向いた行程をなおも実施しなければならなかったときに、カートリッジフック（６，７）は閉鎖機（１０）によって連行されるか又は配置される。
2019501360.tif 000002
【特許請求の範囲】
【請求項１】
閉鎖機（１０）又は閉鎖機ヘッドへ供給するための、武器システム内のベルト付き弾薬（４，５）の弾薬供給装置（１００）であって、
弾薬（４，５）が、カートリッジフック（６，７）によって弾薬ベルトから引き出され、前記閉鎖機（１０）に供給される弾薬供給装置において、
前記カートリッジフック（６，７）が前記閉鎖機（１０）とは切り離されて前記武器システム内に組み付けられており、前記閉鎖機（１０）が後方へ向いた又は前方へ向いた行程を実施すると、前記カートリッジフック（６，７）が前記閉鎖機（１０）によって連行されるか又は非活動状態に置かれることを特徴とする、弾薬供給装置（１００）。
【請求項２】
前記カートリッジフック（６，７）が前記武器システム内に安定した状態で組み込まれていることを特徴とする、請求項１に記載の弾薬供給装置（１００）。
【請求項３】
少なくとも１つの側方ガイド部分（１．２，１．２’）が前記カートリッジフック（６，７）のための制御曲面（１６）とガイド曲面（１７）とを含み、該ガイド曲面（１７）の前区分が、下方へ向いた切り欠き（１７．１）を有しており、前記制御曲面（１６）が前記カートリッジフック（６，７）の制御を模倣することを特徴とする、請求項１又は２に記載の弾薬供給装置（１００）。
【請求項４】
少なくとも１つの前記側方ガイド部分（１．２，１．２’）が供給器（１）を形成していることを特徴とする、請求項３に記載の弾薬供給装置（１００）。
【請求項５】
１つの供給器（１）を形成する２つの側方ガイド部分（１．２，１．２’）が組み付けられていることを特徴とする、請求項３に記載の弾薬供給装置（１００）。
【請求項６】
前記閉鎖機（１０）が、該閉鎖機（１０）の上側領域内に閉鎖機曲面としてのガイド（１０）を有しており、前記閉鎖機曲面（１１）が、前側領域内に、前記カートリッジフック（６，７）を連行するための、上方へ向いた切り欠き（１２）を有していることを特徴とする、請求項１〜５の何れか一項に記載の弾薬供給装置（１００）。
【請求項７】
前記カートリッジフック（６，７）が、前記閉鎖機（１０）から切り離された前記カートリッジフック（６，７）と前記閉鎖機（１０）との機能的な協働を実現する手段（８，９）を有していることを特徴とする、請求項１〜６の何れか一項に記載の弾薬供給装置（１００）。
【請求項８】
前記手段（８，９）がピンであり、該ピンが、前記カートリッジフック（６，７）のための側方ガイド部分（１．２，１．２’）のガイド曲面（１７）内、及び前記閉鎖機の曲面（１１）内に係合していることを特徴とする、請求項７に記載の弾薬供給装置（１００）。
【請求項９】
前記閉鎖機（１０）が端面に溝（１９）を有しており、前記弾薬（４，５）が前記カートリッジフック（６，７）によって前記溝内に入ることを特徴とする、請求項１〜８の何れか一項に記載の弾薬供給装置（１００）。
【請求項１０】
前記閉鎖機（１０）内に組み込まれたエジェクタ（２１）が、前記閉鎖機（１０）へ供給するときに前記弾薬（４，５）のための制限手段として役立つことを特徴とする、請求項９に記載の弾薬供給装置（１００）。
【請求項１１】
前記カートリッジフック（６，７）の前記手段（８，９）が前記閉鎖機の曲面（１１）に対して導出され且つ導入されるように、少なくとも１つの側方ガイド部分（１．２，１．２’）を前記カートリッジフック（６，７）と一緒に摺動させ得ることを特徴とする、請求項３〜１０の何れか一項に記載の弾薬供給装置（１００）。
【請求項１２】
前記カートリッジフック（６，７）の制御曲面（１６）が外側で側方ガイド部分（１．２，１．２’）内に組み付けられており、前記カートリッジフック（６，７）のためのガイド曲面（１７）が内側で前記側方ガイド部分（１．２，１．２’）内に組み付けられていることを特徴とする、請求項１〜１１の何れか一項に記載の弾薬供給装置（１００）。
【請求項１３】
前記カートリッジフック（７）の端面（７．４）にフック（７．５）が位置していることを特徴とする、請求項１〜１２の何れか一項に記載の弾薬供給装置（１００）。
【請求項１４】
前記フック（７．５）が前記カートリッジフック（７）に枢動点（Ｈ）で支承されていることを特徴とする、請求項１３に記載の弾薬供給装置。
【請求項１５】
前記カートリッジフックの前区分（７．１）が、側方ガイド部分（１．２）を取り囲むフォーク形状部分又はＵ字形状部分（７．２）を有しており、該フォーク形状部分（７．２）の右内側（７．３）にボルト（１３）が組み付けられており、そして、左側の前記フォーク形状部分（７．２）の端面には、枢動点（Ｈ）で支承されたフック（７．５）が組み付けられていることを特徴とする、請求項１〜１４の何れか一項に記載の弾薬供給装置（１００）。
【請求項１６】
前記カートリッジフック（６，７）が前記閉鎖機（１０）と一緒に後方又は前方へ向かってガイドされるときには、前記カートリッジフック（６，７）が前記供給器（１）の支持部分（１．１）を介して安定化されることを特徴とする、請求項１〜１５の何れか一項に記載の弾薬供給装置（１００）。
【請求項１７】
前記カートリッジフック（６，７）の上方で、前記カートリッジフック（６，７）にさらなるボルト（１４）が取り付けられており、前記ボルトによって、前記弾薬（４，５）の、前記武器システム内への搬送が可能になることを特徴とする、請求項１〜１６の何れか一項に記載の弾薬供給装置（１００）。
【発明の詳細な説明】
【技術分野】
【０００１】
本発明は、少なくとも１つのベルト付き弾薬を武器の閉鎖機もしくは閉鎖機ヘッドの前へ供給するための弾薬供給装置を取り扱う。
【背景技術】
【０００２】
武器は、外部駆動型又は自己駆動型武器システム、例えば真直ぐに供給される閉鎖機もしくは弾薬を備えた自動火器もしくは機関銃である。有利な実施態様では、２つのベルト付き弾薬が武器に供給される。両弾薬供給部は１つの方向から弾薬を引き渡し、互いに重なって延びている。誤射を回避するために、弾薬ベルトからの弾薬の引き抜きは、閉鎖機の運動とは切り離される。これにより、閉鎖機の規定の行程の後で初めて弾薬を弾薬ベルトから引き出されることが可能になる。
【０００３】
このような形式の武器システムは特許文献１、特許文献２、及び特許文献３から公知である。
【０００４】
種々異なる弾薬容器から弾薬を１つの方向から武器の共通のロータへ供給することが特許文献４に記載されている。
【０００５】
特許文献５は、互いに平行な２つの供給シャフトを有する外部駆動型の自動火器のためのダブル・カートリッジ・交互供給器を開示している。両供給シャフトから弾薬を供給するために、ロータの回転方向が変わるので、それぞれのカートリッジは、武器ハウジングに固定された供給スターホイールの待機位置からロータの切り欠き内へ直接に搬送され、これにより、ロータのステップ状の動作によって閉鎖機からさらなる誘導のために装填室内へ引き渡される。
【０００６】
まだ公開されていない特許文献６には、有利には左右２つの方向から弾薬を閉鎖機へ供給するための、武器内へ弾薬を供給する弾薬供給装置が記載されている。このために、１つの共通の供給器が鉛直平面内で摺動させられるので、右側又は左側の星形搬送手段が弾薬供給部内もしくは弾薬駆動装置内に組み付けられる。共通の供給器が摺動することにより、弾薬は右側又は左側から供給され、そして閉鎖機もしくは閉鎖機ヘッドの前に置かれる。
【０００７】
閉鎖機もしくは閉鎖機ヘッドの前へベルト付き弾薬を供給し且つこれを置くことも公知である。ここでは、弾薬をベルトから引き出し、そして閉鎖機もしくは閉鎖機ヘッドへ搬送さればならない。ベルト部材からの弾薬の引き出しは、カートリッジフックによって閉鎖機が戻るときに行われる。閉鎖機への供給は閉鎖機の前進時に行われる（ブローニング機関銃（Browning-MG）参照）。欠点は、閉鎖機の後退にともなって、次に発射されるべき弾薬が既にベルトから引き出されることである。この弾薬は射撃が中断されたとき既に武器システム内に位置している。この武器システムはこのような状況において安全ではない。特にさらなる弾薬供給部が同じ方向から組み付けられていると、誤射の問題が生じる。
【先行技術文献】
【特許文献】
【０００８】
【特許文献１】欧州特許第２０１８５０９号明細書
【特許文献２】欧州特許第２１９８２３１号明細書
【特許文献３】欧州特許第２２５７７６３号明細書
【特許文献４】独国特許出願公開第１０２００７０６２５４８号明細書
【特許文献５】独国特許第３６２７３６０号明細書
【特許文献６】独国特許出願公開第２０２０１４１０２７７９．３号明細書
【発明の概要】
【発明が解決しようとする課題】
【０００９】
このような問題を考慮して、本発明には、新しい種類の弾薬供給装置を構想するという課題が課せられる。
【課題を解決するための手段】
【００１０】
この課題は、請求項１の特徴によって解決される。有利な構成は請求項２以下に見いだされる。
【００１１】
本発明の根底を成す発想は、弾薬の引き出しと閉鎖機の運動を機械的に互いに切り離すことである。弾薬は、閉鎖機が既に１つの行程を実施して初めて弾薬ベルトから取り出され、もしくは引き出される。従って、弾薬の引き出しは、閉鎖機が既に係止解除され、部分的に後方へ向かってガイドされている時点で初めて行われる。この時点で射撃が終了され武器システムが停止されると、武器システム内には弾薬は位置していない。それというのも、弾薬は弾薬ベルトからまだ引き出されていないからである。
【００１２】
弾薬引き出しを閉鎖機の運動から切り離すことは、換言すれば、弾薬引き出し器もしくはカートリッジフックが閉鎖機の戻り運動から切り離され、有利には安定した状態で組み付けられることになる。これにより、両運動、つまり引き出しと閉鎖機の戻り運動もしくは閉鎖機の前進運動とを互いに切り離すことができる。閉鎖機は、１つの行程を実施し、そしてこのような行程の後で初めて、すなわち遅れた時点でカートリッジフックを連行する。前進時には、閉鎖機はこのような行程までカートリッジフックを連行し、カートリッジフックをこのような位置で非活動化する。カートリッジフックは、既に引き出し溝（カートリッジスリーブ）内の準備が整った次の弾薬内に懸吊される。
【００１３】
組み付け場所として、本発明は、よく知られているように安定した状態ではあるがしかし運動可能に武器システム内に組み込まれた供給器を提供する。このような供給器は、少なくとも１つの側方ガイド部分を含む。側方ガイド部分は、カートリッジフックのために必要なガイドもしくは制御曲面を収容している。設けられているのは、カートリッジフックのための内側ガイド曲面及び外側制御曲面である。内側のガイドは、カートリッジフックを閉鎖機とともに後方及び前方へ向かって動かすのに役立つ。下方へ向いた前側曲面区分内で、カートリッジフックを閉鎖機によって非活動化することができる。外側制御曲面は、カートリッジフックが弾薬を弾薬ベルトから引き出し、弾薬を閉鎖機へ供給するのに役立つ。両曲面、すなわちガイド曲面及び制御曲面は、同じ機能を有する状態で１つの側で側方ガイド部分内に導入することもできる。
【００１４】
閉鎖機が１つの行程を実施して初めてカートリッジフックが弾薬ベルト内の弾薬に作用するように、閉鎖機はガイドもしくは曲面を有している。このようなガイドは閉鎖機もしくは閉鎖機ヘッド（チャンバ）の上側領域内に位置している。このようなガイドはカートリッジフックの内側ガイド曲面及び外側制御曲面と、手段を介して機能的に協働する。閉鎖機とカートリッジフックとの協働のための手段として、カートリッジフックのピンがこのようなガイド内に係合している。同じピンが、供給器の側方ガイド部分のガイド曲面内にも設けられている。閉鎖機のこのようなガイド曲面は、供給器の側方ガイド部分の内側ガイド曲面と協働して、カートリッジフックが閉鎖機の運動時に連行され、前進時には予め決められた位置で非活動化される、すなわち閉鎖機のさらなる運動から切り離されることを可能にする。
【００１５】
供給器もしくは側方ガイド部分はさらに、例えば旋回により側方に運動することができる。このような特別な実施態様は、カートリッジフックを閉鎖機のガイドから出すのを可能にする。このような手段によって、武器システムの安全性を高めることができる。それというのも、カートリッジフックは安定した状態で、それ自体は運動を行うことができないからである。閉鎖機と非係合関係にあるカートリッジフックのこのような位置は武器システムの搬送のために利用することができる。
【００１６】
さらに別の実施態様では、本発明は武器システムに２つの弾薬供給部を設ける。このような弾薬供給部は、右からも左からも入れられるように制御することができる。
【００１７】
しかしながら有利な実施態様では、弾薬供給部は、右側又は左側の１つの共通の方向から組み付けるようになっている。このためには、ガイド及び制御曲面を有する側方ガイド部分は鏡像的に配置され、そして共通の供給器に組み付けられる。供給器はさらにクレードル内で運動可能に組み付けられており、例えば摺動させることができる。しかしながら供給器はこのような実施態様でも旋回させられると有利である。カートリッジフックのガイド及び制御のための内側ガイド曲面及び外側制御曲面から成る前記模倣体は、供給器の対向する側方ガイド部分として鏡像的に配置され、供給器内に組み付けられる。カートリッジフック自体も鏡像的に配置され、供給器内に組み込まれる。右側及び左側の両カートリッジフックは、弾薬の選択に応じて、閉鎖機とカップリングすることにより、次いでこの閉鎖機と機能的に協働する。
【００１８】
有利な実施態様では、上側弾薬供給部が下側弾薬供給部に重なるように延びており、下側弾薬供給部は第１弾薬と同じ供給平面上に向かって方向転換される。次いで下側弾薬供給部は左側のカートリッジフックと協働し、そして上側弾薬供給部は右側のカートリッジフックと協働し、又はその逆に協働する。このために、右側又は左側のカートリッジフックのガイド及び制御のための模倣体を有するそれぞれの側方ガイド部分は、武器システム内へ動かされ、もしくは武器システム内へ入るように制御される。この運動は、既に述べたように、供給器全体の旋回によって行われると有利である。供給器の旋回は操作者による弾薬選択から生じる。供給器の運動によって、上側又は下側の弾薬供給部もしくは上側又は下側のベルト付き弾薬は出入りを制御される。この摺動又は旋回によって、それぞれのカートリッジフックも弾薬供給部／弾薬ベルトと一緒に、武器システム内へ、もしくは武器システムから摺動もしくは旋回させられる。これにより、ベルト付き弾薬を下側弾薬供給部から摺動させ、或いは、ベルト付き弾薬を上側弾薬供給部から摺動させることができる。カートリッジフックは摺動時もしくは旋回時には、弾薬ベルトから次に発射しようとする弾薬に常に配向されたままである。カートリッジフックと弾薬供給部とのこのような構造的結合の利点は、次に発射しようとする弾薬のカートリッジ縁部にカートリッジフックを新たに配向させる必要がないことである。さらに、武器システムは、既にそれぞれの弾薬供給部の進入制御によって点火の準備ができている。
【００１９】
上側弾薬ベルトから弾薬を発射するために、この弾薬ベルトは下方へ向かうように制御される。上側弾薬ベルトの終端位置（弾薬ベルトの始まり）、もしくは供給しようとする弾薬／カートリッジは次いで、以前の下側の弾薬ベルトと同じ高さを占める。左右の両カートリッジフックは互いに同じ高さを占める。両カートリッジフックは、閉鎖機もしくは閉鎖機ヘッドの端面側の溝内へ弾薬を供給するために同じ行程を実施する。
【００２０】
図面を伴う実施例に基づいて、本発明を以下に詳述する。
【図面の簡単な説明】
【００２１】
【図１】２つの弾薬供給部を備えた、武器システムのための供給器を示す図である。
【図２】２つの弾薬供給部を備えた、武器システムのための供給器を示す図である。
【図３】２つの弾薬供給部を備えた、武器システムのための供給器を示す図である。
【図４】図１〜３の供給器の右側を示す図である。
【図５】カートリッジフックを下から見た状態で示す図である。
【図６】カートリッジフックと、供給器の右の側方ガイド部分とを外方から示す図である。
【図７】カートリッジフックと、供給器の外側の側方ガイド部分とを内方から示す図である。
【図８】閉鎖機ヘッド内に組み付けられた閉鎖機曲面と協働する、カートリッジフックのための種々のガイド曲面及び制御曲面を有する供給器の右の側方ガイド部分を僅かに透視して示す図である。
【図９】弾薬のカートリッジ底部にカートリッジフックが作用する状態を示す図である。
【図１０】カートリッジフックと、弾薬と、武器の閉鎖機とが協働する状態を僅かに透視して示す図である。
【発明を実施するための形態】
【００２２】
「右」、「左」、「前」及び「後ろ」は発射方向で見てこのように定義されている。
【００２３】
この実施例は、ダブル弾薬供給装置１００に基づいて記載される。ただ１つの弾薬供給部を有する実施態様も同様に提供されている（さらに詳述する）。
【００２４】
図１〜３は、詳細には図示されていない武器システムのための供給器１を示す上面図である。供給器１には、有利な実施形では、第１弾薬供給部２（例えば弾薬容器）、及び第２弾薬供給部３（例えば弾薬シャフト）が関連づけられている。第１弾薬供給部２は第１ベルト付き弾薬４を含み、そして第２弾薬供給部３は第２ベルト付き弾薬５を含む。両弾薬４及び５は２つの異なる種類の弾薬であるのが有利ではあるものの、同じ種類であってもよい。
【００２５】
供給器１にはさらに、左側のカートリッジフック６、並びに右側のカートリッジフック７が組み込まれている。両フックはそれぞれ互いに向き合うピン８もしくは９を有している。供給器１は枢動点Ｄを中心として旋回することができる。符号１０で武器システムの閉鎖機もしくは閉鎖機ヘッドが示されている。閉鎖機もしくは閉鎖機ヘッドは、図１では、左側のカートリッジフック６のピン８によって左側のカートリッジフック６に機能的にカップリングされている。供給器１のこのような位置において、第１弾薬４は武器システムに供給される。図２では、両カートリッジフック６，７のいずれも、そのピン８，９を介して閉鎖機１０にはカップリングされていない。このような位置は武器システムの搬送位置として利用することができる。この位置は安全位置を形成する。それというのも、弾薬４も弾薬５も武器システムに供給することができないからである。図３では右側のカートリッジフック７はそのピン９を介して閉鎖機１０に機能的に結合されているので、今や弾薬５は武器システム内へ導入され、閉鎖機１０の前に置くことができる（さらに詳述する）。
【００２６】
図４に示された、右側のカートリッジフック７の詳細図において、カートリッジフック７のピン９は、閉鎖機１０のガイド又はガイド曲面１１（閉鎖機曲面１１）内に係合している。閉鎖機１０の閉鎖機曲面１１は、閉鎖機１０の前側領域内に、上方へ向いた切り欠き１２を有している。このような切り欠き１２はカートリッジフック７の連行位置を形成している。閉鎖機１０自体はその前位置に位置しており、係止されている。
【００２７】
カートリッジフック７は図５に詳細に示されている。カートリッジフック７はその前区分７．１内にフォーク形状部分又はＵ字形状部分７．２を有している。フォーク形状部分又はＵ字形状部分７．２は、供給器１の側部１．２を取り囲んでいる。Ｕ字形状部分７．２の右内側７．３にはボルト１３が組み付けられている。フォーク７．２の左部分の端面７．４には、本来のフック７．５が位置している。カートリッジフック７は、これが閉鎖機１０と協働して後方へ向かって、支持部分１．１を介して案内されると、供給器の支持部分１．１を介して安定化される（図６）。カートリッジフック７の上側にはさらなるボルト１４が取り付けられている。供給器１は右側の側方ガイド部分１．２の外側で、この側方ガイド部分内に組み付けられたガイド１５を有している。ガイドはカートリッジフック７のための制御曲面１６として役立つ。このような制御曲面１６内にフォーク７．２のボルト１３が係合している。制御曲面１６は、短い真直ぐな区分に続いて形成された僅かに傾斜した区分１６．１、傾斜１６．２、並びにさらなる真直ぐな区分１６．３を有している。
【００２８】
図７は、供給器の側部１．２内部に設けられたガイド曲面１７を示している。このようなガイド曲面の前端部は、下方へ向いた切り欠き１７．１を有している。既に述べたように、制御曲面１６とガイド曲面１７とを、側方ガイド部分１．２の外側と内側とに分離する必要はない。機能が同じ場合に側方ガイド部分１．２の外側又は内側に両方を組み付けることも可能である。これに対応して、カートリッジフック７は、前側領域７．１内のフォーク形状部分７．２を省くことができる。
【００２９】
図８は、供給器１の外側の右側面１．２（カートリッジフック７の側方ガイド）を僅かに透視して示す側面図である。供給器１のこのような側方ガイド１．２に設けられた内側ガイド１７（図７）は、カートリッジフック１のピン９を閉鎖機１０もしくは閉鎖機ヘッドと一緒に動かすのに役立つ。図６のこのような図示において、カートリッジフック７は規定された位置で非活動化される。カートリッジフック７のフック７．５は、弾薬ベルト内に位置する弾薬５のカートリッジホイール５．１の後方に位置している。
【００３０】
図９は、弾薬供給器３の弾薬ベルトから弾薬５を引き出すために、カートリッジフック７を弾薬５に作用させる状態を示している。
【００３１】
図１０では、閉鎖機１０もしくは閉鎖機ヘッドがより詳細に、僅かに透視した状態で示されている。閉鎖機１０の端面１０．１には溝１８が組み込まれている。符号２０で、弾薬４，５のプライマを叩くための、詳細には示されていない撃針の出口が示されている。
【００３２】
弾薬供給器３（２）から弾薬５（４）を引き出す機能形式、及び閉鎖機１０に新しい弾薬５（４）を供給することを、右側のカートリッジフック７、並びに上側の弾薬ベルト３のベルト付き弾薬５に基づき説明する。
【００３３】
上側の弾薬ベルト４から弾薬５を発射させるために、弾薬ベルトは下方へ向くように制御される（図１０のばね負荷された板２４を参照）。
【００３４】
閉鎖機１０の係止、及び弾薬５の点火で始まって、カートリッジフック７はその非活動位置Ｐ（図８）に位置している。閉鎖機１０は武器システムのカートリッジ支承体に当接している。点火が行われた後、閉鎖機１０は新しい弾薬５の供給のために、その後方位置へ、後方に向かって案内される。カートリッジフック７はその実際の位置に留まるのに対して、閉鎖機１０は後方へ向かって案内される。規定された行程Ｗ（カートリッジフック７の非活動位置Ｐと閉鎖機曲面１１の切り欠き１２との間の長さによって決められる）後、カートリッジフック７のピン９が閉鎖機曲面１１内でこのような行程を走行して切り欠き１２内に走入すると、閉鎖機１０はカートリッジフック７を後方へ向かって連行する。この時点で、カートリッジフック７は閉鎖機１０もしくは閉鎖機ヘッドの前端面１０．１と整合する。カートリッジフック７の両側に突出するピン９は、その切り欠き１７．１から内側ガイド１７内へ走入し、そしてこの内側ガイドに沿って閉鎖機１０と一緒に後方へ向かって案内される。カートリッジフック７が後方へ向かってガイドされるのに伴って、ボルト１３は右側の側方ガイド部分１．２のその外側の制御曲面１６を走行する。
【００３５】
真直ぐな区分１６．１においてカートリッジフック７は連行される。カートリッジフック７は閉鎖機１０の前進時に既に弾薬５の弾薬縁部５．１内に掛け入れられている。カートリッジフック７の連行によって、弾薬５は弾薬ベルト３から引き出され、同様に連行される。傾斜１６．２は方向転換ガイドを形成し、弾薬ベルト３から引き出された弾薬５を、閉鎖機１０の前端面１０．１に設けられた溝１９内に押し込むのに役立つ。すなわち、カートリッジフック７及び閉鎖機１０が時間的な遅延後に一緒に後方へ向かって案内されると、カートリッジ又は弾薬は方向転換される。引き出された弾薬５の方向転換は傾斜１６．２によって規定される。後方へ向いた行程の途中で、カートリッジフック７は傾斜１６．２を介して相応に下方へ向かって制御される。これにより、カートリッジフック７もしくはそのフック７．５は、弾薬ベルト３から引き出された弾薬５を閉鎖機１０の端面の溝１９内へ押し込む（又は、接触させ挿入する（掛止し、係合する）。弾薬５の搬送時に弾薬がフック７．５から滑落するのを回避するために、所定の手段１８が組み込まれている。このような手段は弾薬を下方へ向かって軽く押し下げる。弾薬５の押し下げ時にこのような手段は従動することにより、閉鎖機１０の溝１９内へのカートリッジ縁部５．１の係合を可能にする。弾薬５の押し下げは、閉鎖機１０内で側方に組み付けられたエキストラクタ（エジェクタ）２１と一緒に、武器システムの銃身から閉鎖機１０と一緒に案内された空のカートリッジケーシングを投出させる（詳細には図示せず）。第２の真直ぐな区分１６．３は、このような方向転換を制限するのに役立つ。制御曲面１３のこのさらなる真直ぐな区分１６．３内へボルト１３が走入すると、さらなる方向転換又は押し下げが阻止（制限）される。
【００３６】
前方へ向いた行程の途中で、固定器１０には今や新しい弾薬５が供給されている。この新しい弾薬は、武器システムの銃身（カートリッジ支承体）内へ押し込まれる。閉鎖機１０の前進時には、カートリッジフック７も連行される。カートリッジフック７はそのガイド１７に沿って切り欠き１７．１まで走行し、そしてこの切り欠き内へ走入する。ピン９はこのとき閉鎖機１０の切り欠き１２から、すなわちカートリッジフック７の連行位置から引き出される。閉鎖機１０はさらに走行する一方、カートリッジフック７のピン９は閉鎖機曲面１１に沿ってスライドする。その前位置において、このような閉鎖機１０は再び係止される。カートリッジフック７はこのような位置Ｐで非活動化する。
【００３７】
閉鎖機１０の前方へ向かう移動時には、ボルト１３は制御曲面１６に沿って案内される。ボルトは傾斜１６．２を通走するときにカートリッジフック７を持ち上げ、新たに取り出そうとする弾薬５のカートリッジ縁部５．１にカートリッジフックを付ける。
【００３８】
武器は装填され、射撃を新たに始めることができる。
【００３９】
カートリッジフック７を制御曲面１３内に簡単に組み込むために、側方ガイド部分１．２に垂直な直線部分２２が導入されている。
【００４０】
カートリッジフック７のピン９を曲面１１及び１７内部においてその非活動位置で支承する形式の利点は、カートリッジフック７が武器システムの反動挙動に問題なく反応し得ることである。
【００４１】
ベルト付き弾薬５のさらなる搬送のために、ボルト１４はカートリッジフック７に取り付けられている。ポルト１４は、弾薬５の方向転換時にカートリッジフック７によって側方に傾倒する。ボルト１４はシーソー運動を行う。ボルト１４と関連づけられたシーソー２３を介して、ベルト付き弾薬５は弾薬供給部３から引き出される。このことは、詳細には図示されていない連行体を介して行われる。連行体は、弾薬５の弾薬ベルトに作用し、そして弾薬ベルトを動かす、すなわち弾薬ベルトを押しずらし且つ／又は引っ張る。
【００４２】
さらなる構造的特性はこれに加えて、フック７．５の枢動点Ｈがカートリッジフック７の前に位置していることにある。閉鎖機１が後方に向かって移動し、ピン９がその待機位置から閉鎖機曲面１１の切り欠き１２内へスライドすると、梃子運動がカートリッジフック７に作用する。しかしながら切り欠き内へピン９がこのように沈み込んでいると、フック７．５に梃子運動が加えられることはない。それというのも、フック７．５は枢動点Ｈでカートリッジフック７に配置されているからである。これにより、梃子運動がフック７．５に、ひいては弾薬５に作用することができる。
【００４３】
固定器１０の前に運ばれた弾薬５を確実に当接させるために、エキストラクタ２１を利用することができる。エキストラクタ２１は、弾薬５のための衝撃を形成する。このために、エキストラクタ２１は、閉鎖機１０に設けられた溝２８内でガイドされる。この溝は閉鎖機の中心点軸線の下方に位置している。この場合、弾薬５のプライマが１つの平面内で撃針（２０）と整合することを保証しなければならない。
【００４４】
武器システムのための弾薬供給の機能経過を右側のカートリッジフック７に基づいて説明する。左側のカートリッジフック６、及び供給器１の右側の側方ガイド１．２から成る模倣体全体は、左側の側方ガイド１．２’に対して鏡像的に配置されているので、上記のものに相応して下側の弾薬供給部２から第１弾薬４を弾薬供給するための機能経過は、鏡像的に逆になるだけである。
【００４５】
供給器の前記構造は、武器システムのただ１つの弾薬供給部２のためにも利用することができる。このような実施態様では、ただ１つの側方ガイド、優先的には左側の側方ガイド部分が必要となる。閉鎖機１０の閉鎖曲面１１内へピン８が係合する。カートリッジフック６は、弾薬供給部２から、すなわち弾薬ベルトから弾薬４を引き出すことを担う。弾薬供給部が１つしかない場合にも、摺動及び／又は旋回が行われてよいが、しかしここでは必要とはいえない。とは言うものの、摺動及び／又は旋回が行われるようにすると、このような武器システムのためにも、安全関連性及び搬送位置を取り入れ得るという利点は得られる。
【００４６】
ただ１つの弾薬供給部２（３）が設けられている場合には、第２弾薬５のための追加装備を迅速に実現することができる。このためには、右側の側方ガイド１．２が供給器１にドッキング、すなわち固定され、例えばねじ締結される。固定部分がさらなる受容可能性を提供しない場合には、このような固定部分を、２つの受容部（穴）２６，２７を備えた別の固定部分２５と交換することができる。板などを介した結合の別の態様も可能である。
【符号の説明】
【００４７】
１    供給器
１．１    支持部分
１．２    右／左の側方ガイド部分
２    第１弾薬供給部
３    第２弾薬供給部
４    第１ベルト付き弾薬
５    第２ベルト付き弾薬
６    左側のカートリッジフック
７    右側のカートリッジフック
７．１    前区分
７．２    フォーク／Ｕ字形状部分
７．３    フォークの右内側
７．４    フォークの端面
７．５    フック（爪）
８    左側カートリッジフックのピン
９    右側カートリッジフックのピン
１０    閉鎖機／閉鎖機ヘッド
１１    閉鎖機上側の閉鎖機曲面
１２    閉鎖機曲面の切り欠き
１３    （フォークに設けられた）ボルト
１４    （カートリッジフックに設けられた）ボルト
１５    ガイド
１６    カートリッジフックのための制御曲面
１６．１    真直ぐな区分
１６．２    傾斜
１６．３    第２の真直ぐな区分
１７    ガイド（内側の側方ガイド部分）
１７．１    切り欠き
１８    手段
１９    溝
２０    点火ボルト出口
２１    側方のエジェクタ、エキストラクタ
２２    組み付けのための直線部分
２３    シーソー
２４    上側弾薬ベルトを制御するための手段
２５    固定部分
２６    切り欠き
２７    切り欠き
２８    閉鎖機の溝
１００    弾薬供給装置
【図１】
2019501360.tif 000003
【図２】
2019501360.tif 000004
【図３】
2019501360.tif 000005
【図４】
2019501360.tif 000006
【図５】
2019501360.tif 000007
【図６】
2019501360.tif 000008
【図７】
2019501360.tif 000009
【図８】
2019501360.tif 000010
【図９】
2019501360.tif 000011
【図１０】
2019501360.tif 000012
【国際調査報告】
2019501360.tif 000013
2019501360.tif 000014
2019501360.tif 000015
2019501360.tif 000016
2019501360.tif 000017
2019501360.tif 000018